(57)【要約】  カッターと、該カッターを駆動する駆動装置と、細断済み紙片を収納する収納部とを備えたシュレッダー本体と、該シュレッダ本体に開閉可能に枢着されていて、閉鎖位置においてシュレッダー本体の上部を覆い、開放位置において前記カッターに向けて被細断紙を順次送り込むことができるように被細断紙スタックを載置し得る第１カバーと、該第１カバーに被着可能の第２カバーと、前記カッターの上部領域を覆い得る第３カバーとを有している。
2009047861.tif 000002
【特許請求の範囲】
【請求項１】
カッターと、該カッターを駆動する駆動装置と、細断済み紙片を収納する収納部とを備えたシュレッダー本体と、該シュレッダー本体に開閉可能に連結されていて、閉鎖位置において前記シュレッダー本体の上部を覆い、開放位置において前記カッターに向けて被細断紙を順次送り込むことができるように被細断紙スタックを載置し得る第１カバーとを備えた自動給紙装置付きペーパーシュレッダー。
【請求項２】
前記第１カバーは、ヒンジ連結された、前記シュレッダー本体の上部を覆い得る紙受け副板と、前記シュレッダー本体の側壁の一部を構成し得る紙受け板とからなっていて、ヒンジ連結部には、前記紙受け副板と前記紙受け板とのヒンジ軸方向への相対移動を阻止する規制手段が設けられている、請求項１に記載の自動給紙装置付きペーパーシュレッダー。
【請求項３】
前記第１カバーに被着可能で、前記第１カバーに載置された被細断紙スタックを覆い得る第２カバーを備えた請求項１又は２に記載の自動給紙装置付きペーパーシュレッダー。
【請求項４】
前記シュレッダー本体に開閉可能に枢着されていて、被細断紙用の手差し入れ口を有し、閉鎖位置において前記カッター領域を実質的に覆い、開放位置において前記カッター領域を開放させ得る、第３カバーを備えた請求項１乃至３の何れかに記載の自動給紙装置付きペーパーシュレッダー。
【発明の詳細な説明】
【技術分野】
【０００１】
本発明は、ペーパーシュレッダー、特に被細断紙を自動送り可能な事務用ペーパーシュレッダーに関する。
【背景技術】
【０００２】
一般に従来の事務用ペーパーシュレッダーは、本体上部に被細断紙を送り込むための紙送り口が設けられていて、その紙送り口に人手で被細断紙を順次送り込むように構成されているのが普通であった（例えば、特開２００７−９８１９０号参照）。
【発明の開示】
【０００３】
このように、従来の事務用ペーパーシュレッダーは、細断にあったって手作業を必要とするため、不経済であるばかりか、被細断紙がカッターに詰まったような場合、紙送り口に直接手指を差し入れ出来るようになっていたため、危険であり、また、秘密書類等の細断の場合は、第三者の目に触れないように注意を払う必要がある等、使い勝手の悪い点が多かった。
【０００４】
本発明は、このような従来品の問題点に鑑みてなされたものであり、その目的とするところは、細断中の手作業を不要とし、被細断紙の内容が人目に触れることなく細断を実行することのできる、安全度の高い自動給紙装置付きペーパーシュレッダーを提供することにある。
【０００５】
上記目的を達成するため、本発明による自動給紙装置付きペーパーシュレッダーは、カッターと、該カッターを駆動する駆動装置と、細断済み紙片を収納する収納部とを備えたシュレッダー本体と、該シュレッー本体に開閉可能に連結されていて、閉鎖位置において前記シュレッダー本体の上部を覆い、開放位置において前記カッターに向けて被細断紙を順次送り込むことができるように被細断紙スタックを載置し得る第１カバーとを有している。
【０００６】
本発明によれば、前記第１カバーは、ヒンジ連結された、前記シュレッダー本体の上部を覆い得る紙受け副板と、前記シュレッダー本体の側壁の一部を構成し得る紙受け板とからなっていて、ヒンジ連結部には、前記紙受け副板と前記紙受け板とのヒンジ軸方向への相対移動を阻止する規制手段が設けられている。
【０００７】
また、本発明による自動給紙装置付きペーパーシュレッダーは、前記第１カバーに被着可能で、前記第１カバーに載置された被細断紙スタックを覆い得る第２カバーを更に備えている。
【０００８】
また、本発明による自動給紙装置付きペーパーシュレッダーは、前記シュレッダー本体に開閉可能に枢着されていて、被細断紙用の手差し入れ口を有し、閉鎖位置において前記カッター領域を実質的に覆い、開放位置において前記カッター領域を開放させ得る、第３カバーを備えている。
【０００９】
本発明によれば、不使用時、シュレッダー本体の上部が第１カバーにより覆われているから、第１カバーの表面形態を適宜工夫することにより、応接室等の雰囲気に合った備品としても便利に利用することができる事務用ペーパーシュレッダーを提供することができる。また、第２カバーを利用することにより、秘密扱いの書類等も人目にさらすことなく安心して自動細断することができる。更に、第３カバーには被細断紙用の手差し入れ口が設けられているから、自動細断中でも従来通りの細断作業が出来るという利点があるばかりでなく、第３カバーを開けることにより、カッター部に詰まった紙片等も簡単に除去できるという利点がある。
【図面の簡単な説明】
【００１０】
【図１】図１は本発明実施例が不使用状態にある場合の側面図である。
【図２】図２は本発明実施例が使用状態にある場合の側面図である。
【図３】図３は第２カバーを付設して示した図２と同様の側面図である。
【図４】図４（a）は本発明実施例が使用状態にある場合の平面図、図４（b）はヒンジ部の横断面図である。
【図５】図５は第３カバーを開いた状態の一部破断側面図である。
【発明を実施するための最良の形態】
【００１１】
以下、本発明の実施例を図面を参照して説明する。【００１２】
図１は本発明実施例が不使用状態にある場合の側面図、図２は使用状態にある場合（第１カバーを開いた状態）の一部破断側面図、図３は第２カバーを付設して示した図２と同様の側面図、図４(a)は使用状態にあ場合の平面図、図４(b)はヒンジ部の横断面図、図５は第３カバーを開いた状態の一部破断側面図である。【００１３】
図中、特に図２に明示したように、１００は周知のカッター１０１と、カッター１０１を駆動するための駆動装置１０２と、送紙ローラー１０３、１０４と、送紙ローラー１０３、１０４と協働して被細断紙をカッター１０１の領域へ導くためのガイド１０５と、細断済み紙片を収納する収納部１０６（図１）を備えたシュレッダー本体、２００は互いにヒンジ連結されていて、閉鎖位置においてシュレッダー本体１００の上部を覆い得る紙受け副板２０１と、両側端がシュレッダー本体１００に枢着されていて閉鎖位置においてシュレッダー本体１００の垂直壁の一部をなし得るように構成された紙受け板２０２とを組み合わせてなる第１カバー、２０３は一端が紙受け副板２０１と紙受け板２０２とを連結するヒンジ軸２０１dに枢着され、他端がシュレッダー本体１００の内壁に形成されたスロット１０７にピン・スロット連結されていて第１カバー２００を図２の開放位置に保持し得る第１リンク、２０４は一端が紙受け副板２０１の側部に枢着されていて他端が第１リンク２０３とピン・スロット連結された第２リンクである。この第１リンク２０３と第２リンク２０４からなるリンク機構は、第１カバー２００の両側部に設けられていて、第１カバー２００を、図１に示す閉鎖位置と図２に示す開放位置に、それぞれ安定的に保持し得るように構成されている。【００１４】
図３を参照して、３００は、開放位置にセットされた第１カバー２００に載置された図示しない被細断紙スタック（例えば、３００枚程度の被細断紙の積重ね）を覆い得るように、シュレッダー本体１００に着脱且つ回動可能に装着された第２カバーである。この第２カバー３００は、図４（a）に輪郭だけを鎖線で示したように第１カバー２００全体を覆うことができ、キー３０１aにより操作される施錠手段３０１により第１カバー２００に固定できるようになっている。なお、第２カバー３００は、被細断紙の記載内容が外部からは見えないように不透明材料で作られている。【００１５】
第１カバー２００の内側は、図４（a）に示すように、軽量であるにも拘わらず、被細断紙スタックの重量に十分耐え得るように構成されている。即ち、紙受け副板２０１は、強化プラスチック製であって、内側には、縦方向に延びた狭い間隔Ｓをもって対向する縦梁対２０１aを複数対一体成形で付設していると共に、これらの縦梁対２０１aを連結する横梁２０１bが設けられている。また、紙受け板２０２の内側には、縦横の梁が格子状に一体成形で付設されている。【００１６】
また、紙受け副板２０１と紙受け板２０２とのヒンジ連結には、紙受け副板２０１と紙受け板２０２の開閉動作を規制する、第１リンク２０３と第２リンク２０４からなるリンク機構の運動を円滑に行なわせるための、特別の工夫がなされている。即ち、紙受け副板２０１の縦梁対２０１aに対応する紙受け板２０２の上縁には、縦梁対２０１aの間隔Ｓよりは僅かに狭い幅の円弧部分２０２a（図４（b）参照）がそれぞれ形成されていて、この円弧部分２０２aが縦梁対２０１a間に固着された枢軸２０１c（図４（b）参照）にそれぞれ引っ掛けられた状態で、また、紙受け板２０２の両側部上縁に形成された円筒部分２０２bは、紙受け副板２０１の両側壁に固着された枢軸２０１dと嵌合した状態で、紙受け副板２０１と紙受け板２０２はヒンジ連結されている。【００１７】
再び図２及び図３を参照して、４００は、紙受け板２０２に連続するように枢軸４０１によりシュレッダー本体１００に回動可能に取り付けられていて、被細断紙の幅サイズに合わせて調整可能の周知構造の左右の突き当て板４０２，４０３を有し且つ紙受け副板２０１及び紙受け板２０２上に装入された被細断紙スタックの一番上にある被細断紙の先端縁を送紙ローラー１０３、１０４間へ送り届けるのに役立つ給紙トレー、４０４は枢軸４０５によりシュレッダー本体１００に回動可能に取り付けられていて、操作部４０４aをシュレッダー本体１００の頂壁の一部をなすように露出せしめてなる給紙セットレバー、４０６は一端が給紙セットレバー４０４に固着され、他端が給紙トレー４００の先端部側壁に枢着されていて、給紙セットレバー４０４をロック位置（操作部４０４aが図２の（Ａ）位置）からセット位置（操作部４０４aが図２の（B）位置）へ移動せしめた時、給紙トレー４００を実線位置から鎖線位置まで回動せしめるのに役立つ作動桿、４０７はばね受け板４０８に取り付けられていて、給紙トレー４００を時計方向へ弾圧するコイルばねである。【００１８】
なお、給紙セットレバー４０４は、セット位置へ移行せしめられたとき、図示しない周知のクリック手段によりセット位置に保持され得るように構成されている。１０８（図４）はシュレッダ本体１００に設けられた施錠手段、１０９は電源スイッチ釦、１１０は自動紙送り釦、１１１は正転釦、１１２は逆転釦である。【００１９】
次に、図４（a）及び図５を参照して、５００は、枢軸５０１によりシュレッダー本体１００に回動可能に取り付けられていて、カッター１０１へ向けて被細断紙を差し込むことのできる手差し入れ口５０２を有する第３カバーである。この第３カバー５００は、図４に示す閉鎖位置においてカッタ１０１の上部領域を覆い、図５に示す開放位置において例えばカッタ１０１に詰まった被細断紙を手指で取り除くことができるようになっている。なお、第３カバー５００は、施錠装置１０８により、閉鎖位置にロックされ得るようになっている。【００２０】
本発明にかかる自動給紙装置付きペーパーシュレッダーは上記のように構成されているから、使用に先立ち、手動で第１カバー２００を図１に示す閉鎖位置から図２に示す開放位置まで一杯に開ければ、紙受け副板２０１と紙受け板２０２は、リンク２０３と２０４を含むリンク機構を介して、図２に示すようにシュレッダー本体１００の垂直壁に対し所定の角度（実施例では、水平面とのなす角度約４８°）をなして一線状に整列し、紙受け副板２０１と紙受け板２０２に亘って置かれる被細断紙がカッター１０１に向けて送り込まれ得るような姿勢をとるようになる。【００２１】
この開放状態で、給紙セットレバー４０４の操作部４０４aを図４の矢印方向へ一杯に押して、図示しないクリック手段によりその位置（図２の（B）位置）に係止させ、所定枚数（実施例では、普通紙で３００枚程度）の被細断紙スタックを紙受け副板２０１、紙受け板２０２及び図２の鎖線位置まで回動された給紙トレー４００上に置き、紙サイズに合わせて左右の突き当て板４０２，４０３の位置を調整して、被細断紙スタックを紙受け副板２０１、受け板２０２及び給紙トレー４００上の中央部にセットする。【００２２】
次に、必要ある場合は、第２カバー３００をその上に被せて、施錠手段３０１のキー３０１aで鍵をかけ、被細断紙の記載内容が外部からは見えないようにすると共に、細断中の書類の紛失を防止するようにする。そして、図示しないクリック手段の係止力に抗して給紙セットレバー４０４の係止状態を解除すれば、圧縮されたコイルばね４０７の弾発力により、給紙トレー４００は時計回転方向へ押され、その結果、順次、被細断紙スタックの一番上にある被細断紙のみが送紙ローラー１０５と１０６の間に臨むようになり、カッター１０１の上部領域へ送られ得る状態となる。
かくして、電源スイッチ釦１０９及び自動紙送り釦１１０を押せば、被細断紙は、送紙ローラー１０３，１０４により引き込まれ、ガイド１０５に案内されて、カッター１０１に向けて次々と自動的に送り込まれる。そして、被細断紙は細断されて収納部１０６内に落下せしめられ、被細断紙スタックの自動細断が行なわれる。この間、給紙セットレバー４０４の操作部４０４aは、図４において反矢印方向へ徐々に移動し、図２の（A）位置へ達して停止する。【００２３】
このようにして、被細断紙スタックの細断が終われば、周知の検知手段により電源回路がオフとなり、カッター１０１は自動的に停止する。したがって、施錠手段３０１にキー３０１aを挿し込んで第２カバー３００を開け、次の被細断紙スタックを上述のような手順で再びセットし、第２カバー３００を閉めて同様に細断作業を繰り返せば良い。このようにして、予定の細断作業を終えた場合は、第２カバー３００を取り外し、第１カバー２００を図２の矢印方向へ押せば、前記リンク機構を介して、紙受け板２０２はシュレッダー本体１００の側壁の一部としておさまり、また、紙受け副板２０１はシュレッダー本体１００を覆い、図１の状態に戻る。【００２４】
本発明によれば、紙受け副板２０１と紙受け板２０２とのヒンジ連結において、紙受け副板２０１と紙受け板２０２とのヒンジ軸方向への相対移動を阻止する縦梁対２０１aと円弧部分２０２aからなる規制手段が設けられているから、紙受け副板２０１と紙受け板２０２の横方向へのがたつきにより、第１カバー２００の開閉動作中、前記リンク機構に回動方向と直交する横向きの力が加わるようなことがなく、第１カバー２００の開閉運動が常に円滑に行われ得るという利点がある。【００２５】
また、本発明によれば、第３カバー５００には手差し入れ口５０２が設けられているから、上述の如き自動送りによる細断中でも、手差し入れ口４０２を利用することにより、手動紙送りによる細断を併用することができる。細断中、カッター１０１に紙が詰まる等のトラブルが発生した場合には、施錠手段１０８を介して第３カバー５００を開けることにより、簡単に紙の詰まり等を解消することができる。即ち、第３カバー５００を開けると、カッター周りに容易に工具等を差し込むことができるようになるので、従来のシュレッダーの如く紙詰まり等のトラブルが発生したような場合でも、カッター周りの部品を取り外さなければならないといった不便さはない。
【産業上の利用可能性】
【００２６】
本発明による自動給紙装置付きペーパーシュレッダーは、自動給紙と手動給紙を併用することができて実用上極めて有用であるばかりか、不使用時はコンパクトにまとめて事務室のアクセサリーとして利用することもできる。
【図１】
2009047861.tif 000003
【図２】
2009047861.tif 000004
【図３】
2009047861.tif 000005
【図４】
2009047861.tif 000006
【図５】
2009047861.tif 000007
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
カッターと、該カッターを駆動する駆動装置と、細断済み紙片を収納する収納部とを備えたシュレッダー本体と、該シュレッダー本体に開閉可能に連結されていて、閉鎖位置において前記シュレッダー本体の上部を覆い、開放位置において前記カッターに向けて被細断紙を順次送り込むことができるように被細断紙スタックを載置し得る第１カバーと、前記第１カバーに被着固定可能で、前記第１カバー上に載置された被細断紙スタックを覆う不透明材料より成る第２カバーとを備えた自動給紙装置付きペーパーシュレッダー。
【請求項２】
前記第１カバーは、ヒンジ連結された、前記シュレッダー本体の上部を覆い得る紙受け副板と、前記シュレッダー本体の側壁の一部を構成し得る紙受け板とからなっていて、ヒンジ連結部には、前記紙受け副板と前記紙受け板とのヒンジ軸方向への相対移動を阻止する規制手段が設けられている、請求項１に記載の自動紙給装置付きペーパーシュレッダー。
【請求項３】
（削除）
【請求項４】
前記シュレッダー本体に開閉可能に枢着されていて、被細断紙用の手差し入れ口を有し、閉鎖位置において前記カッター領域を実質的に覆い、開放位置において前記カッター領域を露出させ得る、第３カバーを更に備えた請求項１又は２に記載の自動給紙装置付きペーパーシュレッダー。
【国際調査報告】
2009047861.tif 000008
2009047861.tif 000009
2009047861.tif 000010
2009047861.tif 000011